(57)【要約】      （修正有）【課題】外出先においても錠剤類を携帯することができるボトルを提供する。【解決手段】水などの液体を収納するための本体部２０と、その本体部２０を閉塞する第１蓋部３０と、を有し、その第１蓋部３０は、錠剤などの固形物を収納するための収納部３３ａと、その収納部３３ａを閉塞するための上端蓋部４０と、をさらに有するボトルである。そのボトルは、水と共に固形物である錠剤類を携帯することができる。【選択図】図３
0003226268.tif 000002
【実用新案登録請求の範囲】
【請求項１】
液体を収納するための本体部と、
前記本体部を閉塞する第１蓋部と、
前記第１蓋部は、固形物を収納するための収納部と、有し、
前記収納部を閉塞するための上端蓋部と、をさらに有するボトル。
【請求項２】
前記本体部と、前記第１蓋部と、前記上端蓋部と、は、円筒形状を呈し、
前記本体部と、前記第１蓋部と、前記上端蓋部と、を組み立てたときに、それらの外側面は、面一に構成されている請求項１記載のボトル。
【請求項３】
前記第１蓋部に、前記本体部と水密性を保つためのパッキンを有する請求項１又は２記載のボトル。
【請求項４】
前記第１蓋部は、前記収納部を仕切るための隔壁部と、
前記隔壁部は下方の突出する突出部と、
前記突出部の周囲に配置される溝部と、
前記パッキンは、円筒状の円筒部と、
前記円筒状の円筒部の周囲に配置されている鍔部と、を有し、
前記突出部に、前記円筒部を取り付けると共に、前記溝部に前記鍔部を配置する請求項３記載のボトル。
【考案の詳細な説明】
【技術分野】
【０００１】
本考案は、飲料用の液体を収納するボトルに関するものである。
【背景技術】
【０００２】
近年、飲料水を容器に収納し、それを携帯することで必要に応じて水分を補給するということが行われている。このような容器として例えば、特開平１０−１３９０５６号公報が開示されている。
【０００３】
上記公報において、「注口部１を有するボトル２の口部３に、キャップ４を押圧して該キャップ４の内周面４ａに設けたキャップ係合部５を該口部３の外周面３ａに設けたボトル係合部６に係合させて閉蓋し、該キャップ４を捻ってボトル係合部６とキャップ係合部５との係合状態を解除して開蓋するようにした簡易開閉式容器において、上記ボトル２を上記キャップ４によって閉蓋した際に、上記注口部１より該ボトル２内に臨む突起７を、該キャップ４の天面４ｂにおける回転中心位置から偏心した位置に設け、上記キャップ４の捻りにより生じる、上記注口部１から上記突起７が上方に外れる際の力を利用して、ボトル係合部６とキャップ係合部５との係合状態を解除するようにした。」というものが開示されている。
【０００４】
上述の容器は、飲みやすいものであるものの、近年外出先で錠剤を服用するために内容量が１２０ミリリットルと従来のものと比較して内容量が少量のボトルが販売されている。
【０００５】
しかしながら、上記ボトルを携帯するものの、服用するための錠剤を携帯することを忘れてしまい、その錠剤を服用することができないという場合がある。
【先行技術文献】
【特許文献】
【０００６】
【特許文献１】特開平１０−１３９０５６号公報
【考案の開示】
【考案が解決しようとする課題】
【０００７】
本考案は、前記の点に着目してなされたもので、その課題は、外出先においても錠剤類を携帯することができるボトルを提供することである。
【課題を解決するための手段】
【０００８】
前記の課題を解決するために、第１観点のボトルは、液体を収納するための本体部と、本体部を閉塞する第１蓋部と、第１蓋部は、固形物を収納するための収納部と、を有し、収納部を閉塞するための上端蓋部と、をさらに有するというものである。
【０００９】
また、第２観点のボトルは、第１観点のボトルにおいて、本体部と、第１蓋部と、上端蓋部と、は、円筒形状を呈し、本体部と、第１蓋部と、上端蓋部と、を組み立てたときに、それらの外側面は、面一に構成されているというものである。
【００１０】
また、第３観点のボトルは、第１観点または第２観点において、第１蓋部に、本体部と水密性を保つためのパッキンを有するというものである。
【００１１】
また、第４観点のボトルは、第３観点において、第１蓋部は、収納部を仕切るための隔壁部と、隔壁部は下方の突出する突出部と、突出部の周囲に配置される溝部と、パッキンは、円筒状の円筒部と、円筒状の円筒部の周囲に配置されている鍔部と、を有し、突出部に、円筒部を取り付けると共に、溝部に鍔部を配置するというものである。
【考案の効果】
【００１２】
本考案は以上のように構成され、かつ、作用するものであるから、外出先においても錠剤類を携帯することができるボトルを提供することができる。
【図面の簡単な説明】
【００１３】
【図１】ボトルの斜視図である。
【図２】ボトルの正面図である。
【図３】図２のＩＩＩ−ＩＩＩ線断面図である。
【図４】分解した状態の断面図である。
【図５】Ａは、本体部の平面図である。Ｂは、本体部の正面図である。Ｃは、本体部の底面図である。
【図６】Ａは、第１蓋部の平面図である。Ｂは、第１蓋部の正面図である。Ｃは、第１蓋部の底面図である。
【図７】Ａは、パッキンの平面図である。Ｂは、パッキンの正面図である。Ｃは、パッキンの底面図である。
【図８】Ａは、上端蓋部の平面図である。Ｂは、上端蓋部の正面図である。Ｃは、上端蓋部の底面図である。
【図９】Ａは、ボトルから上端蓋部を取り外した状態を示す斜視図である。Ｂは、ボトルから第１蓋部と上端蓋部を取り外した状態を示す斜視図である。
【考案を実施するための最良の形態】
【００１４】
以下、図示の実施形態を参照して本実施例のボトル１０について説明する。ボトル１０は、例えば液体である飲料を収納することができる本体部２０と、第１蓋部３０と、上端蓋部４０とを有するものである。
【００１５】
ボトル１０における本体部２０は、上部２１と円筒状を呈する胴部２２とその円筒状の底部分を閉塞するように配置された底部２３とを有する有底筒状に構成されている。上部２１は、文字通り、胴部２２の上方に配置されており、胴部２２よりも平面視においてその径が小になるように構成されている。上部２１は、いわば注ぎ口であり、その上部２１の上端２１ａは、開口している。上部２１の側面２１ｂは、第１蓋部３０とネジ止めするためのオネジ部２１ｃを有する。
【００１６】
また、上記構成の本体部２０は、水、お茶などの飲料水、ジュース、コーヒーなどの液体を収納しうる空間となる空所２５を有し、いわば容器となるものである。また、本体部２０は、ステンレス製で構成することが好ましく、アルミニウム製でもよい。また、ステンレス製あるいはアルミニウム製の薄板を、例えば絞り加工することで構成することができる。もっとも他の材質および加工方法を排除するものではない。空所２５の内容量は、例えば１２０ミリリットル、２００ミリリットル、３５０ミリリットルとすることができる。このような容量のボトル１０であれば、嵩張ることなく鞄に収納し、携帯するのに好適である。
【００１７】
第１蓋部３０は、円筒状を呈する蓋本体部３１と、隔壁部３２と（図４参照）、蓋本体部３１よりも高さが低い、円筒状を呈する第２蓋本体部３３とを有する。蓋本体部３１の内側に、上述のオネジ部２１ｃと螺合するメネジ部３１ａを有する。
【００１８】
また、隔壁部３２は、蓋本体部３１の内側の空間となる空所３１０と、第２蓋本体部３３の内側に後述する収納部３３ａとを仕切るためのものであり、円筒状を呈する蓋本体部３１の天井部分に相当するものである。また、隔壁部３２は、底面視環状であって溝状の溝部３２ｂと蓋本体部３１の内側において下方に突出する円柱状の突出部３２ｃとを有する。この溝部３２ｂは、上記のとおり円柱状の突出部３２ｃの周囲に配置されている。
【００１９】
また、隔壁部３２は、第２蓋本体部３３の底部分に相当するものである。従って、第２蓋本体部３３は有底筒状を呈し、上記のとおり、第２蓋本体部３３の内側に、薬、タブレットなどの固形物である錠剤類を収納しうる空間となる収納部３３ａを構成している。
【００２０】
従って、第１蓋部３０は、本体部２０を閉塞することができると共に、錠剤類を収納する機能を有する。また、突出部３２ｃは、円筒状を呈し、その突出部３２ｃに環状であってシリコンゴム類の柔軟性を有するパッキン３５を配置することも好ましい。パッキン３５は、第１蓋部３０と、本体部２０とを閉塞させると共に本体部２０に液体を入れた場合の水密性を保つためである。
【００２１】
パッキン３５は、鍔部３６と開口部３７を有する円筒状の円筒部３８からなるものである。鍔部３６は円筒状の円筒部３８の周囲に配置されている。また、円筒部３８は、その円筒部３８の内方に張り出す張り出し部３９を有している(図６ｃ参照)。パッキン３５における円筒部３８を、円筒状を呈する突出部３２ｃに取り付けると共に、鍔部３６を溝状の溝部３２ｂに配置するように取り付けることで、パッキン３５を第１蓋部３０に取り付けることができる。このとき、張り出し部３９は、第１蓋部３０における円筒状を呈する突出部３２ｃを下方から押さえるというものである。
【００２２】
また、第２蓋本体部３３は、上端蓋部４０と螺合するための第２オネジ部３３ｃをその外部に配置している。また、上端蓋部４０は、第１蓋部３０における収納部３３ａを閉塞するための蓋となるものであって、天井部４１を有する有底円筒状を呈している。また、上端蓋部４０は、上述の第２オネジ部３３ｃと螺合するための第３メネジ部４０ａをその内側に有している。
【００２３】
また、胴部２２の外側面Ｘと、第２蓋本体部３３の外側面Ｙと、上端蓋部４０の外側面Ｚは、本体部２０と、第１蓋部３０と、上端蓋部４０とを組み立てた場合において、それら外側面Ｘと、外側面Ｙと、外側面Ｚと、が面一になるように構成されている。従って、ボトル１０の表面に引っかかる部分がなく、第１蓋部３０あるいは上端蓋部４０が不意に開くという誤操作を可及的に防止することができる。
【００２４】
また、本体部２０と、第１蓋部３０と、上端蓋部４０とを組み立てた場合において、パッキン３５における鍔部３６を溝状の溝部３２ｂに配置されているので、本体部２０における上部２１の上端２１ａは、その鍔部３６に当接するように配置されるので、本体部２０における空所２５を閉塞することができ、さらに、その空所２５からの液漏れの可能性を可及的に防止することができる。
【００２５】
上記構成のボトル１０は、例えば空所２５に水を入れるとともに、第１蓋部３０における第２蓋本体部３３の内側の収納部３３ａに図示しない薬などの錠剤を入れることで、外出先においても水と錠剤類を携帯することができるボトルを提供することができるので、外出時においてもその錠剤のみ忘れを防止することができる。
【符号の説明】
【００２６】
１０  ボトル
２０  本体部
２１  上部
２２  胴部
２３  底部
２５  空所
３０  第１蓋部
３１  蓋本体部
３２  隔壁部
３２ｂ  溝部
３２ｃ  突出部
３３  第２蓋本体部
３５  パッキン
３６  鍔部
３７  開口部
３８  円筒状の円筒部
４０  上端蓋部
Ｘ    胴部の外側面
Ｙ    第２蓋本体部の外側面
【図１】
0003226268.tif 000003
【図２】
0003226268.tif 000004
【図３】
0003226268.tif 000005
【図４】
0003226268.tif 000006
【図５】
0003226268.tif 000007
【図６】
0003226268.tif 000008
【図７】
0003226268.tif 000009
【図８】
0003226268.tif 000010
【図９】
0003226268.tif 000011